(57)【要約】【課題】本発明は試験装置を電子情報的に構成することで小型化し、汎用性を持たせ、操作性と保守性と信頼性と安全性を向上させた試験装置を提供する。【解決手段】１はコンピュータ装置である。コンピュータ装置１には試験を制御する試験プログラム２がインストールされている。３はリモートI/Oターミナルである。リモートI/Oターミナル３は通信手段４でコンピュータ装置１と接続される。５は被試験体となる制御盤である。リモートI/Oターミナル３は制御盤５のI/O端子６と電線７で接続される。試験プログラム２はリモートI/Oターミナル３の出力を操作する出力操作ブロック１０、リモートI/Oターミナル３の入力状態を表示する入力表示ブロック１１、リモートI/Oターミナル３と通信する通信ブロック１２を有する。【選択図】  図１
2008139243.tif 000002
【特許請求の範囲】
【請求項１】
制御盤のI/O端子に接続して制御盤の電気的動作を試験する制御盤試験装置において、制御盤のI/O端子に接続する、通信線で入出力情報が伝達される少なくとも１つのI/Oターミナルと、試験を司るコンピュータ装置と、該I/Oターミナルと該コンピュータ装置をつなぐ通信手段と、該コンピュータ装置にインストールされた試験ソフトウェアとを有し、該試験ソフトウェアは該I/Oターミナルの出力をON/OFFさせる操作機能と、操作対象を検索する機能を有することを特徴とする制御盤試験装置。
【請求項２】
請求項１の制御盤試験装置において
該試験ソフトウェアは該I/Oターミナルの入力のON/OFF状態を表示する表示機能と、表示対象を検索する機能を有することを特徴とする制御盤試験装置。
【請求項３】
請求項１の制御盤試験装置において
該試験ソフトウェアは操作の履歴を作成し表示する機能を有することを特徴とする制御盤試験装置。
【請求項４】
請求項２の制御盤試験装置において
該試験ソフトウェアはON/OFF状態の表示の履歴を作成し表示する機能を有することを特徴とする制御盤試験装置。
【請求項５】
請求項３の制御盤試験装置において
該試験ソフトウェアは操作履歴の全部または一部から操作の試験パターンスクリプトを自動生成する機能を有し、生成された試験パターンスクリプトに従って自動的にI/Oターミナルの出力をON/OFFさせる操作機能有することを特徴とする制御盤試験装置。
【請求項６】
請求項４の制御盤試験装置において
試験ソフトウェアは表示履歴の全部または一部から表示確認パターンスクリプトを自動生成する機能を有し、生成された表示確認パターンスクリプトに従って自動的にI/Oターミナルの入力変化を検証し、結果を表示する機能有することを特徴とする制御盤試験装置。
【発明の詳細な説明】
【技術分野】
【０００１】
本発明は、制御盤試験装置に関し、その電気的機能試験装置の構造に関する。
【背景技術】
【０００２】
従来、制御盤の電気的機能試験においては、トグルスイッチなどの操作デバイスや電球などの表示デバイスをパネルに取り付けた試験パネルを制作し、制御盤の入力端子にトグルスイッチなどの操作デバイスを、出力端子には電球などの表示デバイスを個々に電線で接続し、試験実施内容に従って操作項目に該当する操作デバイスを手動で操作し、確認項目に該当する表示デバイスの表示を目視で確認していた。
【０００３】
一部には一定の動作をする制御盤の出力シーケンスにあわせて、あらかじめ正常値として内部メモリにプログラムしたシーケンスと照らし合わせて良否判定するだけのものがあった。
【特許文献１】特許公開２００２−１３２３３２号公報
【特許文献２】特許公開平９−１４６６２６００号公報
【発明の開示】
【発明が解決しようとする課題】
【０００４】
従来技術の方法では、まず所用数の操作デバイスと表示デバイスとそれを取りつける    パネルのための資材調達やパネルの製作に時間を要していた。
【０００５】
また、一つのシステム試験用に製作したものはそのシステム専用の仕様にあわせて製作したものであり、部品的に再利用可能とはいうものの別のシステム試験に用いるときは操作デバイスと表示デバイスの数が適切でないなどの理由で作り直ししなければならないことがほとんどである。このためこの作業に伴う機械的ストレスで部品の劣化や接続部の接触不良や断線などの不具合を起こすことがあった。
【０００６】
１つのシステム用の試験パネル製作後も、そのシステムの設計変更などで被試験制御盤の改造が行われると操作デバイスや表示デバイスの増設や配置換えが必要になることも多く、場合によっては脈絡のないところに部品を配置しなければならないこともしばしばで、これが後に試験操作を行うときにどこに操作確認すべき対象があるのか分からなくなったりする事態を招き、試験実施の効率を低下させていた。
【０００７】
I/O点数が多いシステムや複数の制御盤で構成されるシステムの試験では、試験フロアに複数の試験パネルを設置しなければならず、この設置スペースの確保、接続ケーブルの通線ルートの確保や、つまずき防止等の安全対策などを講じなければならなかった。また、I/O点数が多くなることでどこに操作や確認すべき対象があるのか分からなくなったりする事があり、試験実施の効率を著しく低下させていた。このため複数の試験員を試験パネル近傍に配置しなければならないこともあった。
【０００８】
試験をしないときには試験パネルを保管するスペースが必要であった。また、保管スペースへの試験パネルの移動作業に伴い接続線に加わる機械的ストレス等でおこる断線や接触不良による信頼性の低下があり、設備の保管保全に経費や工数が多く費やされていた。
【０００９】
さらに、評価試験・社内完成試験・客先立ち会い試験など、同様の試験を複数回実施しなければならない状況では、同じ操作を人手で実施しなければならないなど、作業効率が上がらなかったし、忠実な再現性が期待できないことがあった。また、誤操作や作為的もしくは不作為の省略行為の発生などの品質管理上好ましくない状況を発生させる余地があった。
【００１０】
本発明は、このような点に鑑みてなされたもので、その目的は試験装置を電子情報的に構成することで小型化し、汎用性を持たせ、さらには自動化することで安価で省スペース性・操作性・保守性・信頼性・安全性を向上させた試験装置を提供することにある。
【課題を解決するための手段】
【００１１】
制御盤のI/O端子に接続して制御盤の電気的動作を試験する制御盤試験装置にお      いて、制御盤のI/O端子に接続する、通信線で入出力情報が伝達される少なくとも１つのI/Oターミナルと、試験を制御するコンピュータ装置と、I/Oターミナルとコンピュータ装置をつなぐ通信手段と、コンピュータ装置にインストールされた試験ソフトウェアとを有し、この試験ソフトウェアはI/Oターミナルの出力値を変化させる操作機能と、その操作対象を検索する機能を有することを特徴とする。
【００１２】
また、上記試験プログラムにはI/Oターミナルの入力の値を表示する表示機能と、その表示対象を検索する機能を有する。
【００１３】
さらに操作の履歴を作成し表示する機能と、表示の履歴を作成し表示する機能を有する。
【００１４】
好適には上記試験プログラムは、操作履歴スクリプトの全部または一部から試験パターンスクリプトを自動生成する機能を有し、生成された試験パターンスクリプトに従って自動的にI/Oターミナルの出力値を変化させる操作機能有し、さらに表示履歴の全部または一部から試験確認パターンスクリプトを自動生成する機能を有し、生成された試験確認パターンスクリプトに従って自動的にI/Oターミナルの入力変化を検証し、結果を表示する機能有する。
【発明の効果】
【００１５】
本発明は特許請求の範囲記載のように制御盤試験装置を構成することにより、
迅速な試験設備環境の構築ができ、作業も少人数化でき、再試験や検証試験や再現実験が同一条件同一品質で何度でも実施するようにでき、試験時間の節約と作業品質の向上を実現する事ができる。
【００１６】
また、試験パネルの設置スペースを気にすることなく被試験制御盤を試験フロアに設置できるため、フロアスペースの効率的利用ができるとともに接続線などの資材の節約ができる。さらに電線に躓くなどの危険要因も排除できるため安全作業に寄与することもでき、安価に迅速で高品質な試験実施ができるとともに作業安全性も向上させた制御盤試験装置を提供できる効果がある。
【発明を実施するための最良の形態】
【００１７】
実施の形態について以下の実施例に示す。
【実施例】
【００１８】
第１図は本発明の実施例のブロック図である。
第２図は本発明の実施例の試験プログラムのブロック図である。
１はコンピュータ装置である。コンピュータ装置１には試験を制御する試験プログラム２がインストールされている。３は通信線で入出力情報が伝達されるI/Oターミナルである。I/Oターミナル３は通信手段４でコンピュータ装置１と接続される。５は被試験体となる制御盤である。I/Oターミナル３は制御盤５のI/O端子６と電線７で接続される。試験プログラム２はI/Oターミナル３の出力を操作する出力操作ブロック１０、I/Oターミナル３の入力状態を表示する入力表示ブロック１１、I/Oターミナル３と通信する通信ブロック１２を有する。
【００１９】
出力操作ブロック１０はデジタル出力のON/OFF設定やアナログ出力の値設定を行う。出力操作ブロック１０には疑似操作デバイスとしてコンピュータ装置１の画面に表示するグラフィカルなスイッチやダイアルを配置する。  入力表示ブロック１１はデジタル入力のON/OFF表示やアナログ出力の値表示を行う。入力表示ブロック１１には疑似表示デバイスとしてコンピュータ装置１の画面に表示するグラフィカルなランプやメータを配置する。  出力操作ブロック１０は操作対象となる疑似操作デバイスを、信号名、線番、端子番号などをキーにコンボボックスなどを使って選択し検索するサーチ機能をもつ。入力表示ブロック１１には表示対象となる疑似表示デバイスを信号名、線番、端子番号などをキーにコンボボックスなどを使って選択し検索するサーチ機能を持つ。
【００２０】
試験に先立ち出力操作ブロック１０と入力表示ブロック１１にはI/Oターミナル３とI/O端子６の接続に合わせて、信号名、線番、端子番号、信号種別などを登録する。これで疑似操作デバイスと疑似表示デバイスの操作・表示・検索の準備ができる。信号種別とはデジタル入力、デジタル出力、アナログ入力、アナログ出力などである。
【００２１】
上記のようにグラフィカルな疑似操作デバイス疑似表示デバイスを用いることでシステムの設計変更や改造が行われた場合など操作デバイスや表示デバイスの増設や配置換えが必要になったときでも改造が容易になる。
【００２２】
次に試験動作について説明する。
【００２３】
試験者は試験すべき内容に従って出力操作ブロック１０のグラフィカルスイッチでデジタル出力のON/OFF設定もしくはグラフィカルダイアルでアナログ出力の値設定をキーボードまたはマウスをもちいて行う。このとき疑似操作デバイスが画面のどこに表示されているか分からない場合はサーチ機能をつかって表示位置を知る。疑似操作デバイス操作により通信ブロック１２はコンピュータ１のハードウェアと通信手段４を介してI/Oターミナル３へ出力指示を行う。
【００２４】
I/Oターミナル３はこの指示に従い、デジタル接点出力を出力もしくはアナログ量の出力を行う。
被試験制御盤５は電線７を介してI/O端子６に入力されたI/Oターミナル３の情報に基づき期待されるべきもしくは予期せぬ動作をし、その動作結果はI/O端子６に現れる。
【００２５】
一方I/Oターミナル３は電線７を介して入力されたI/O端子６の情報を、通信手段４を介してコンピュータ装置１に伝送し、試験プログラム２の通信ブロック１２は入力表示ブロック１１にこれを通知し、入力表示ブロック１１はこの情報をグラフィカルランプもしくはグラフィカルメータに表示する。このとき疑似表示デバイスが画面のどこに表示されているか分からない場合はサーチ機能をつかって表示位置を知る。
【００２６】
このようにサーチ機能があることによって、従来のように操作や確認のために試験フロアを駆け回ってそのデバイスを探したり、多数の試験員を試験パネルごとに配置するようなこともなくなる。
【００２７】
このように、制御盤５の試験を従来の技術で説明した試験パネルなどを使った試験より効率的かつ、より正確に実施できるようになる。
【００２８】
第２の実施例では出力操作ブロック１０に操作の履歴を記憶し表示する操作履歴作成機能をもつ。また入力表示ブロック１１の表示の履歴を記憶し表示する表示履歴作成機能をもつ。
【００２９】
操作履歴作成機能は出力操作ブロック１０による操作の履歴をタイムスタンプとともに記憶し表示する。また入力表示ブロック１１の表示の履歴もタイムスタンプとともに記憶し表示する。これにより、試験の経過をレビューすることができる。
【００３０】
図３は第３の実施例の試験プログラムのブロック図である。
１３は試験スクリプト発生ブロックである。
試験スクリプト発生ブロック１３は、出力操作ブロック１０の操作履歴作成機能が作成した操作履歴情報を取り込み、その全部または試験者が選択した範囲の操作履歴情報から操作項目とタイミングを取り出し、これを１つの試験単位とする自動操作スクリプトを生成する。生成された自動操作スクリプトは出力操作ブロック１０によって読み込まれ、出力操作ブロック１０はこのスクリプトに従って自動的に出力を操作する。これによって再試験などの繰り返し試験は、人手の介入を最小にして実現することができる。
【００３１】
また、試験スクリプト発生ブロック１３は、入力操作ブロック１１の表示履歴作成機能が作成した表示履歴情報を取り込み、その全部または試験者が選択した範囲の表示履歴情報から表示項目とタイミングを取り出し、これを１つの試験単位とする自動表示確認スクリプトを生成する。生成された自動表示確認スクリプトは入力表示ブロック１１によって読み込まれ、入力表示ブロック１１はこのスクリプトに従って出力操作ブロック１０が自動的に出力を操作した結果発生する状態変化を自動的に比較し、結果を表示する。これによって再試験などの繰り返し試験は、さらに人手の介入を最小にして実現することができる。
このように再試験や検証試験や再現実験が同一条件同一品質で何度でも実施できるようになり、試験時間の節約と試験品質の確保を実現する事ができる。
【００３２】
試験スクリプト発生ブロック１３は、生成された自動操作スクリプトの操作項目や表示項目およびタイミングを手動操作で修正する編集機能をもつ。また自動生成によらず手動操作のみによって試験スクリプトを作成するようにすることもできる。さらに外部で作成された規定の書式のファイルを読み込んで作成するように構成することもできる。
【００３３】
I/Oターミナル３は一般的には制御盤内のI/O端子６近辺に配置できるほど小型である。このため従来のような試験パネルの設置スペースを考慮することなく被試験制御盤５を試験フロアに設置できる。これにより試験フロアスペースの効率的利用ができ、電線７の線長も従来に比べて著しく短くできるため資材の節約ができる。配線量も少なくなるため電線に躓くなどの危険要因も低減でき、作業安全性の向上に寄与することもできる。
【００３４】
通信手段４はコンピュータ装置１に直接接続できるRS232CやUSBやLANなどがよいのであるが、使用するI/Oターミナルによってはメディアやプロトコルのコンバータが必要になることもある。場合によって必要になるメディアやプロトコルのコンバータは通信手段４に含める。本発明ではメディアやプロトコルは特に規定しない。
【産業上の利用可能性】
【００３５】
コンピュータ装置１にソフトウェアで表示される操作デバイスと表示デバイスを実装して容易に検索と操作ができる試験環境を少ないハードウェアで構築し、資材および試験時間の節約と作業品質の向上を実現する用途に適用できる。
【図面の簡単な説明】
【００３６】
【図１】本発明の実施例の装置構成図
【図２】本発明の実施例の試験プログラムのブロック図
【図３】本発明の第３の実施例の試験プログラムのブロック図
【符号の説明】
【００３７】
１  ・・・コンピュータ装置
２  ・・・試験プログラム
３  ・・・I/Oターミナル
４  ・・・通信手段
５  ・・・被試験制御盤
６  ・・・I/O端子
７  ・・・電線
１０・・・出力操作ブロック
１１・・・入力表示ブロック
１２・・・通信ブロック
１３・・・試験スクリプト発生ブロック
【図１】
2008139243.tif 000003
【図２】
2008139243.tif 000004
【図３】
2008139243.tif 000005